(57)【要約】      （修正有）【課題】多方向入力装置を用いたゲームコントローラー及びゲーム機を提供する。【解決手段】多方向入力装置は、収容空間が形成され且つ収容空間に連通する開口部が設けられているケースと、開口部から外部に延びている操作部材２０と、操作部材の駆動の下で水平３６０°の全方向の範囲内で回転できる水平スライド部材３０と、水平スライド部材の外周に設置されている弾性部材４０と、水平スライド部材の駆動の下でそれぞれＸ、Ｙ方向にスライドする第一スライド部材５０及び第二スライド部材６０と、それぞれ第一スライド部材と第二スライド部材に設けられている第一可動接点５１と第二可動接点６１と、第一可動接点及び第二可動接点と電気的に接触する第一固定接点７１及び第二固定接点７３を含む回路基板７０とを含み、水平スライド部材と弾性部材との間には緩衝部材８０が設置されている。多方向入力装置の操作部材が使用時に受ける衝撃や震動を減少させて、明らかな跳ね感がないようにして手触りを改善できる。【選択図】図２
0003234725.tif 000002
【実用新案登録請求の範囲】
【請求項１】
内部に収容空間が形成されているケースであって、前記ケースにはさらに前記収容空間に連通する開口部が設けられているケースと、
前記収容空間内に設置されて、且つ一部が前記開口部から外部に延びている操作部材と、
前記収容空間内に設置され、且つ前記操作部材に接続されている部材であって、前記操作部材の駆動の下で水平３６０°の全方向の範囲内でスライドできる水平スライド部材と、
前記水平スライド部材を原点位置に復帰させるために、前記水平スライド部材の外周に設置されている弾性部材と、
何れも前記収容空間内に設置されて、且つそれぞれＸ、Ｙ方向にスライドできる第一スライド部材及び第二スライド部材と、
それぞれ第一スライド部材と第二スライド部材に設けられている第一可動接点と第二可動接点と、
前記収容空間内に設置されている回路基板であって、第一固定接点と第二固定接点とを含み、前記第一固定接点は前記第一可動接点と電気的に接触し、前記第二固定接点は前記第二可動接点と電気的に接触する回路基板と、
を含み、
前記水平スライド部材と前記弾性部材との間には緩衝部材が設置されている
ことを特徴とする多方向入力装置。
【請求項２】
前記緩衝部材は環状構造であるとともに、前記水平スライド部材の外周面に沿って設置されている
ことを特徴とする請求項１に記載の多方向入力装置。
【請求項３】
前記水平スライド部材の外周面には谷部が前記水平スライド部材の中心側に位置するように形成されている水平スライド部材凹溝が設けられ、前記水平スライド部材凹溝の縦断面はＶ字状であり、前記緩衝部材の前記水平スライド部材凹溝に対応する位置には位置制限リブが設けられ、前記位置制限リブの形状は前記水平スライド部材凹溝の形状と適合しており、且つ前記水平スライド部材凹溝内に嵌設されている
ことを特徴とする請求項２に記載の多方向入力装置。
【請求項４】
前記水平スライド部材は別体として構成された円盤部と円環部を含み、前記操作部材は前記円盤部内に挿通されて、前記円環部は前記円盤部の外側に外嵌されて、前記円環部の外周面には前記弾性部材が配置され、前記操作部材の駆動の下で前記円環部をそれぞれＸ、Ｙ方向にスライドするように駆動し、前記操作部材、前記水平スライド部材全体又は前記円盤部により前記第一スライド部材と前記第二スライド部材をそれぞれＸ、Ｙ方向にスライドするように駆動し、
前記緩衝部材は前記円盤部と円環部の間に設置されている
ことを特徴とする請求項２に記載の多方向入力装置。
【請求項５】
前記円盤部の外周面と前記緩衝部材の内周面の縦断面形状は相補的な形状であり、前記円盤部の外周面と前記緩衝部材の内周面とが前記相補的な形状により嵌め合って、前記緩衝部材の移動を制限している
ことを特徴とする請求項４に記載の多方向入力装置。
【請求項６】
前記円盤部の外周面には谷部が前記円盤部の中心側に位置するように形成されている円盤部凹溝が設けられて、
前記緩衝部材の縦断面において、前記緩衝部材は前記円盤部に向けて縮小することで、前記円盤部凹溝と適合して嵌合されている
ことを特徴とする請求項５に記載の多方向入力装置。
【請求項７】
前記水平スライド部材は別体として構成された円盤部と円環部を含み、前記操作部材は前記円盤部内に挿通されて、前記円環部は前記円盤部の外側に外嵌されて、前記円環部の外周面には前記弾性部材が配置され、前記操作部材の駆動の下で前記円環部をそれぞれＸ、Ｙ方向にスライドするように駆動し、前記操作部材、前記水平スライド部材全体又は前記円盤部により前記第一スライド部材と前記第二スライド部材をそれぞれＸ、Ｙ方向にスライドするように駆動し、
前記緩衝部材は前記円環部の外周面に設置されている
ことを特徴とする請求項２に記載の多方向入力装置。
【請求項８】
前記円環部の外周面には谷部が前記円環部の中心側に位置するように形成されている円環部凹溝が設けられ、前記緩衝部材の内周面にはリブが設けられ、前記緩衝部材の縦断面において、前記リブはは前記円環部に向けて縮小することで、前記円環部凹溝と適合して嵌合されている
ことを特徴とする請求項７に記載の多方向入力装置。
【請求項９】
請求項１から８の何れか一項に記載の多方向入力装置を含む
ことを特徴とするゲームコントローラー。
【請求項１０】
請求項９に記載のゲームコントローラーを含む
ことを特徴とするゲーム機。
【考案の詳細な説明】
【技術分野】
【０００１】
本願は、２０２１年６月３０日に中国特許庁に提出した、出願番号が「２０２１２１４８１２９５．０」であり、実用新案登録の名称が「多方向入力装置、ゲームコントローラー及びゲーム機」である中国実用新案登録出願の優先権を主張し、その全ての内容を援用により本願に組み合わせる。
【０００２】
本考案はゲーム機の技術分野に関し、特に多方向入力装置、当該多方向入力装置を用いたゲームコントローラー及び当該ゲームコントローラーを用いたゲーム機に関する。
【背景技術】
【０００３】
関連技術におけるゲーム機のゲームコントローラーの多方向入力装置は通常、操作部材、水平スライド部材、弾性部材、第一スライド部材及び第二スライド部材を含む。水平スライド部材は操作部材による駆動の下で水平３６０度の全方向の範囲内で回転でき、弾性片は水平スライド部材と接続されて、且つ水平スライド部材を押して位置復元させることが可能で、直交するように設置された第一スライド部材と第二スライド部材は水平スライド部材による駆動の下でそれぞれＸ、Ｙ方向にスライドでき、それから第一スライド部材と第二スライド部材のＸ、Ｙ方向におけるスライド量を検出して且つ対応する信号を出力することで、この多方向入力装置が使用者の操作部材に対する対応の操作に基づいて対応の信号の入力を実現するのを実現できる。しかしながら、このタイプの多方向入力装置の水平スライド部材が回転するように使用される場合、水平スライド部材は弾性部材のその復帰を駆動する端部に衝突するので、一定の衝撃や震動が存在することで、この多方向入力装置に使用時に比較的強い跳ね感があり、使用の手触りに影響してしまう。
【考案の概要】
【考案が解決しようとする課題】
【０００４】
本考案の主な目的は、多方向入力装置の操作部材が使用時に受ける衝撃や震動を減少させて、その使用時に明らかな跳ね感がないようにして手触りを改善するための、多方向入力装置を提案することである。
【課題を解決するための手段】
【０００５】
上記目的を達成するために、本考案が提案する多方向入力装置は、
内部に収容空間が形成されているケースであって、前記ケースにはさらに前記収容空間に連通する開口部が設けられているケースと、
前記収容空間内に設置されて、且つ一部が前記開口部から外部に延びている操作部材と、
前記収容空間内に設置され、且つ前記操作部材に接続されている水平スライド部材であって、水平３６０°の全方向の範囲内でスライドできる水平スライド部材と、
前記水平スライド部材を原点位置に復帰させるために、前記水平スライド部材の外周に配置されている弾性部材と、
何れも前記収容空間内に設置されて、且つ前記水平スライド部材の駆動の下でそれぞれＸ、Ｙ方向にスライドする第一スライド部材及び第二スライド部材と、
それぞれ第一スライド部材と第二スライド部材に設けられている第一可動接点と第二可動接点と、
前記収容空間内に設置されている回路基板であって、第一固定接点と第二固定接点とを含み、前記第一固定接点は前記第一可動接点と電気的に接触し、前記第二固定接点は前記第二可動接点と電気的に接触する回路基板と、を含み
前記水平スライド部材と前記弾性部材との間には緩衝部材が設置されている。
【考案の効果】
【０００６】
本考案の技術案による多方向入力装置は使用時に、操作部材により水平スライド部材を水平３６０°の全範囲内でスライドするように駆動できるとともに、水平スライド部材により第一スライド部材と第二スライド部材をそれぞれＸ方向とＹ方向に沿ってスライドするように駆動できる。この場合、第一スライド部材と接続されている第一可動接点及び第二スライド部材と接続されている第二可動接点もそれに伴ってＸ方向とＹ方向に沿ってスライドする。その後、回路基板上の第一可動接点と電気的に接触する第一固定接点及び第二可動接点と電気的に接触する第二固定接点により、当該回路基板が第一スライド部材と第二スライド部材のスライド位置に対応する出力信号を出力できるようにすることで、多方向入力装置が使用者の操作部材に対する操作で対応の信号の入力を実現することを実現する。操作部材に対する駆動が完了した後に、水平スライド部材に弾性部材が設置されているので、この弾性部材で、操作部材を原点位置に戻す作用力を提供でき、これにより多方向入力装置の操作部材の自動位置復元を実現する。
【０００７】
しかも、本案における多方向入力装置の水平スライド部材と弾性部材との間には緩衝部材が設置されているので、この緩衝部材により、水平スライド部材が操作部材に駆動されてスライドする過程において弾性部材と衝突して受ける衝撃や震動を緩衝して、この衝撃や震動が操作部材を介して使用者の手に伝わる可能性を下げることで、多方向入力装置の使用時に著しい跳ね感がないようにして、使用の手触りを改善することが可能である。
【図面の簡単な説明】
【０００８】
本考案の実施例及び従来技術の技術案をより明確に説明するため、以下では、実施例或いは従来技術の説明に必要とされる添付図面を簡単に紹介する。下記説明における添付図面は本考案の一部の実施例に過ぎないことは明らかであって、当業者にとって、創造的な労働を行わないことを前提に、これらの添付図面に示す構造に基づいて他の添付図面を得ることができる。
【図１】本考案の多方向入力装置の一実施例の全体構造模式図である。
【図２】図１における多方向入力装置の一つの局部構造模式図である。
【図３】図１における多方向入力装置のもう一つの局部構造模式図である。
【図４】図１における多方向入力装置の水平スライド部材と第一スライド部材及び第二スライド部材との組み立て構造模式図である。
【図５】図１における多方向入力装置の一つの断面模式図である。
【図６】図１における多方向入力装置の水平スライド部材と緩衝部材の組み立て構造模式図である。
【図７】図６における水平スライド部材と緩衝部材の分解構造模式図である。
【図８】図６における水平スライド部材と緩衝部材の一つの断面模式図である。
【図９】本考案の多方向入力装置の水平スライド部材と緩衝部材のもう一つの実施例における一断面模式図である。
【図１０】本考案の多方向入力装置の水平スライド部材と緩衝部材のもう一つの実施例における一断面模式図である。
【図１１】本考案の多方向入力装置の水平スライド部材と緩衝部材のもう一つの実施例における組み立て構造模式図である。
【図１２】図１１における水平スライド部材と緩衝部材の分解構造模式図である。
【図１３】図１１における水平スライド部材と緩衝部材の一つの断面模式図である。
【図１４】本考案の多方向入力装置の水平スライド部材と緩衝部材のもう一つの実施例における組み立て構造模式図である。
【図１５】図１４における水平スライド部材と緩衝部材の分解構造図である。添付図面を参照して、実施例と組み合わせて本考案の目的の実現、機能特徴及び長所をさらに説明する。
【考案を実施するための形態】
【０００９】
本考案は、多方向入力装置を提案する。
【００１０】
図１から図５を組み合わせて参照し、本願の一実施例において、この多方向入力装置はケース１０、操作部材２０、水平スライド部材３０、弾性部材４０、第一スライド部材５０、第二スライド部材６０、第一可動接点５１、第二可動接点６１、回路基板７０及び緩衝部材８０を含み、ケース１０には収容空間１１が形成され、ケース１０にはさらに収容空間１１に連通する開口部１２が設けられており、操作部材２０は収容空間１１内に設置されて、且つ一部が開口部１２から外部に延びており、水平スライド部材３０は収容空間１１内に設置され、且つ操作部材２０に接続され、水平スライド部材３０は操作部材２０の駆動の下で水平３６０°の全方向の範囲内で回転でき、弾性部材４０は、水平スライド部材３０を原点位置に復帰させるように、水平スライド部材３０の外周に設置され、第一スライド部材５０と第二スライド部材６０は何れも収容空間１１内に設置されて、且つ水平スライド部材３０による駆動の下でそれぞれＸ、Ｙ方向にスライドし（多方向入力装置が定常使用状態にあって置かれている場合、ケース１０の開口部１２が上を向くように構成され、Ｘ方向とＹ方向とは水平面において互いに垂直である）、第一可動接点５１と第二可動接点６１はそれぞれ第一スライド部材５０と第二スライド部材６０に設けられ、回路基板７０は収容空間１１内に設置され、回路基板７０は第一固定接点７１と第二固定接点７３とを含み、第一固定接点７１は第一可動接点５１と電気的に接触し、第二固定接点７３は第二可動接点６１と電気的に接触し、水平スライド部材３０と弾性部材４０との間には緩衝部材８０が設置されている。
【００１１】
本考案の一実施例において、ケース１０は主に、収容空間１１を形成するためのものであり、この収容空間１１により、操作部材２０、水平スライド部材３０、第一スライド部材５０、第二スライド部材６０及び回路基板７０などの部品を収容できる。こうして、この収容空間１１の空間壁は、収容空間１１内にある操作部材２０、水平スライド部材３０、第一スライド部材５０、第二スライド部材６０及び回路基板７０などの部品に対して一定の保護作用を果して、外部の水気又はほこりが収容空間１１内に入ることによって収容空間１１内の部品に損傷を当たる可能性を抑えることが可能である。それとともに、操作部材２０、水平スライド部材３０、第一スライド部材５０、第二スライド部材６０及び回路基板７０をすべて収容空間１１内に設置することで、それらの配置をよりコンパクトにして、それらの占有スペースを小さくすることが可能である。このケース１０の形状を比較的規則的にして成型や製造を容易にするように、このケース１０の水平面での投影を概ね円形又は概ね正多角形とすることが可能である。さらに、図１と図５を組み合わせて参照し、このケース１０は上ケース１１と下ケース１３を含み、上ケース１３が下ケース１４に接続されて、且つ下ケース１４と囲い合って収容空間を形成し、上ケース１３に開口部１２が設けられてもよい。こうして、上ケース１３と下ケース１４を別々に製造してから、組み立てて全体を形成することが可能で、収容空間１１の成型の難易度を下げた。多方向入力装置の修理や交換の難易度を下げるために、上ケース１３と下ケース１４の接続過程を簡略化させて脱着の効率を向上させるように、ケース１０の上ケース１３と下ケース１４は取り外し可能な接続、例えば、スナップフィット接続、磁気吸着接続又はねじ接続としてもよい。操作部材２０は使用者が操作するためのものであり、且つこの操作部材２０を駆動することで、水平スライド部材３０、第一スライド部材５０及び第二スライド部材６０などがそれに伴って駆動されるようにしてもよい。操作部材２０は細長い丸棒構造として、かつ上下方向に延伸するように設置されてもよい。さらに、使用者がこの操作部材２０に作用力加えやすくするために、操作部材２０の開口部１２から突出して外部に延伸した一端には操作盤２１を設けてもよく、この操作盤２１の水平面での投影は円形として設定してもよく、且つ操作盤の投影が操作部材２０の水平面での投影をカバーし、つまりこの操作盤２１の面積が操作部材２０の面積より大きい。一方で、操作部材２０が駆動される時に水平スライド部材３０の回転を駆動するように、操作部材２０の収容空間１１にある一端がこの水平スライド部材３０と接続されている。図３を参照し、水平スライド部材３０は、操作部材２０に追従して移動する時に、それを第一スライド部材５０と第二スライド部材６０をそれぞれＸ、Ｙ方向にスライドするように駆動できるようにする（もちろん、他の実施例では、第一スライド部材５０と第二スライド部材６０が直接操作部材２０に駆動されてもよい）ためのものである。ケース１０内には支持フレーム１５が設けられてもよく、この支持フレーム１５の下端がケース１０の下ケース１４に当接され、水平スライド部材３０は回転可能に支持フレーム１５の上端とケース１０の上ケース１３との間に設置されてもよい。もちろん、他の実施例において、この水平スライド部材３０を収容するために、ケース１０の上ケース１３の内側壁に環状溝が形成されてもよい。この水平スライド部材３０のケース１０内でのスライドをよりスムーズにするように、この水平スライド部材３０の水平面での投影を円形としてもよい。図２を参照し、弾性体４０は、水平スライド部材３０の水平スライド部材３０が操作部材２０によって駆動された後に対応して復帰するように駆動して、さらには操作部材２０の自動復帰を実現するために、弾性力を供給してもよい。水平スライド部材３０が操作部材２０に駆動された後にその復帰をさせるために、弾性部材４０は水平面での投影が概ねＣ字状の弾性片であり、この弾性片の反対する両側が水平スライド部材３０３０の外周面に当接され、弾性片の中部はケース１０の上ケース１３に接続されてもよい。また、弾性片の数は複数として、複数の弾性片が円環部３７の中心周りに順に分布してもよい。第一スライド部材５０と第二スライド部材６０は、水平スライド部材３０が操作部材２０に駆動される時に追従して対応の移動を行うとともに、第一可動接点５１と第二可動接点６１がそれに伴って対応の移動を行うようにすることが可能で、かつ回路基板７０上のこの第一可動接点５１と第二可動接点６１とそれぞれ電気的に接続された第一固定接点７１と第二固定接点７３を通して第一可動接点５１と第二可動接点６１のスライド量に対応する信号を入力してから、回路基板７０の出力側により対応の制御信号を出力する。回路基板７０はケース１０の下ケース１４に接続されて、かつ第一スライド部材５０と第二スライド部材６０の下方に位置してもよい。一方、第一スライド部材５０と第二スライド部材６０は支持フレーム１５とケース１０の下ケース１４との間にあって、かつ第一スライド部材５０と第二スライド部材６０が支持フレーム１５にスライド可能に接続されてもよい。具体的に、図３と図４を参照し、第一スライド部材５０の開口部１２に面する表面にはＸ方向に沿った第一スライド溝５３が形成され、第二スライド部材６０の開口部１２に面する方向にはＹ方向に沿った第二スライド溝６３が形成されており、支持フレーム１５の第一スライド溝５３と第二スライド溝６３に対応する位置にはそれぞれ第一突起ブロック１５１と第二突起ブロック１５３が設けられ、第一突起ブロック１５１は第一スライド溝５３内に収容され、第二突起ブロック１５３は第二スライド溝６３内に収容される。それとともに、第一スライド部材５０には、そのケース１０の開口部１２に面する表面及びそれから離れた表面を貫通する第一開口５５が設けられ、第一開口５５はＹ方向に延伸するように開けられている。第二スライド部材６０には、そのケース１０の開口部１２に面する表面及びそれから離れた表面を貫通する第二開口６５が設けられ、第二開口６５はＸ方向に延伸するように開けられている。第一スライド部材５０と第二スライド部材６０をそれぞれＸ、Ｙ方向にスライドするように駆動するように、水平スライド部材３０のケース１０に開口部から離れた表面には方形フレーム３１が設けられ、方形フレーム３１の水平スライド部材３０から遠く離れた一端は、支持フレーム１５を貫通して第一開口５５と第二開口６５内に挿設されて、且つ第一開口５５のＸ方向における対面する二つの内壁面及び第二開口６５のＹ方向における対面する二つの内壁面に当接されている。また、第一スライド部材５０と第二スライド部材６０の形状をより規則的にするように、これらの第一スライド部材５０と第二スライド部材６０の水平面での投影を概ね長方形状としてもよい。緩衝部材８０により、回動部材３０が操作部材２０による駆動中に受ける震動や衝撃を緩衝することで、操作部材２０を駆動中に比較的安定させる。一定の弾性を持たせて緩衝減震の作用を果たさせるとともに、コストを比較的低くして緩衝部材８０の製造コストを抑えるように、緩衝部材８０の材質をシリコーンゴムとする。勿論、この緩衝部材８０はゴム部材或いは他の一定の弾性を有するプラスチック部材としてもよい、一方、水平スライド部材３０の質量を相対的に低くして使用者の操作を容易にするように、この水平スライド部材３０は硬度が比較的高いプラスチック部材としてもよい。
【００１２】
本考案の技術案による多方向入力装置は使用時に、操作部材２０により水平スライド部材３０を水平３６０°の全範囲内でスライドするように駆動するとともに、水平スライド部材３０により第一スライド部材５０と第二スライド部材６０をそれぞれＸ方向とＹ方向に沿ってスライドするように駆動できる。第一スライド部材５０と接続された第一可動接点５１及び第二スライド部材６０と接続された第二可動接点６１もそれに伴ってＸ方向とＹ方向に沿ってスライドする。その後、回路基板７０上の第一可動接点５１と電気的に接触する第一固定接点７１及び第二可動接点６１と電気的に接触する第二固定接点７３により、この回路基板７０が第一スライド部材５０と第二スライド部材６０のスライド位置に対応する出力信号を出力できるようにすることで、多方向入力装置が使用者の操作部材２０に対する対応の操作で対応の信号の入力を実現することを実現する。操作部材２０に対する駆動が完了後、水平スライド部材３０に弾性部材４０が設置されているので、この弾性部材４０で、操作部材２０を原点位置に復帰させる作用力を提供でき、これにより多方向入力装置の操作部材２０の自動位置復帰を実現する。
【００１３】
しかも、本案における多方向入力装置３０の水平スライド部材３０と弾性部材４０との間には緩衝部材８０が設置されているので、この緩衝部材８０により、水平スライド部材３０が操作部材２０に駆動されてスライドする過程において弾性部材４０と衝突して受ける衝撃や震動を緩衝して、この衝撃や震動が操作部材２０を介して使用者の手に伝わる可能性を下げることで、多方向入力装置の使用時に著しい跳ね感がないようにして、使用の手触りを改善することが可能である。
【００１４】
本考案の一実施例によれば、操作部材２０と水平スライド部材３０とは一体である。この場合、操作部材２０と水平スライド部材３０を一体構造とすることで、両者の接続部における強度を上げることができるので、この操作部材２０と水平部材３０の全体としての強度を上げて使用寿命を延ばすのに有利である。また、このように構成することで、両者を一体成形により製造できるようにして、両者の加工プロセスをシンプルにすることで生産率の向上にも有利である。もちろん、本願はこれに限定されず、他の実施例において、操作部材２０と水平スライド部材３０とは別体として設置されてもよい。
【００１５】
図６を参照し、本考案の一実施例において、緩衝部材８０は環状構造であるとともに、水平スライド部材３０の外周面に沿って設置されている。
【００１６】
緩衝部材８０を環状とすることで、この緩衝部材８０を水平スライド部材３０の周縁の全ての方向に減震効果を働かせて、この緩衝部材８０の水平スライド部材３０が駆動中に受ける衝撃や震動に対する緩衝作用を向上させることが可能であることは、理解できるであろう。同時に、この緩衝部材８０を環状の一つの全体構造として、一回で水平スライド部材３０に取り付けやすくして、緩衝部材８０取り付け効率を向上させることも可能である。勿論、本願はこれに限定されず、他の実施例において、この緩衝部材８０は複数の弧状セクションからなってもよく、この場合、複数の弧状セクションは水平スライド部材３０の周縁に沿って間隔を開けて取り囲むように設置されてもよい。
【００１７】
図２、図６、図８、図１０或いは図１１を組み合わせて参照し、本考案の一実施例において、水平スライド部材３０は別体として構成された円盤部３５と円環部３７を含み、操作部材２０は円盤部３５内に挿通されて、円環部３７は円盤部３５の外側に外嵌されて、円環部３７の外周面には弾性部材４０が配置され、操作部材２０の駆動の下で円環部３５をＸ、Ｙ方向にスライドするように駆動し（具体的には、円盤部３５を介して円環部３７を駆動してもよい）、操作部材２０、水平スライド部材３０全体又は円盤部３５により第一スライド部材５０と第二スライド部材６０をそれぞれＸ、Ｙ方向にスライドするように駆動し、（つまり、第一スライド部材５０と第二スライド部材６０は操作部材２０に駆動されてもよく、水平スライド部材３０に駆動されてもよく、或いは円盤部３５に駆動されてもよい）、
円盤部３５は第一スライド部材５０と第二スライド部材６０をそれぞれＸ、Ｙ方向にスライドするように駆動し、緩衝部材８０は円盤部３５と円環部３７の間、或いは円環部３７の外周面に設置されている。
【００１８】
水平スライド部材３０が別体として構成された円盤部３５と円環部３７を含むことで、操作部材２０が駆動される時に円盤部３５を通して円環部３７を間接的に駆動することになることは、理解できるであろう。それとともに、円環部３７の外周に配置された弾性部材４０の、円環部３７が円盤部３５に駆動される時に生じる変形抵抗力はこの円環部３７にのみ作用し、それから、円盤部３５により操作部材２０に対して間接的に摩擦抵抗力を生じさせる。この時、円盤部３５と円環部３７は何れも円形をしており且つ一定の相対回転運動を起こすことが可能なので、円盤部３５と操作部材２０との間に生じる摩擦抵抗力を相対的に小さくする。一方で、弾性部材４０の生じる変形抵抗力は円盤部３５を通して間接的に操作部材２０に作用し、この抵抗力が伝達される過程において存在するロスも円盤部３５と操作部材２０との間に生じる摩擦抵抗力をさらに弱めることが可能である。こうして、操作部材２０が使用時に受ける摩擦抵抗力を大幅に減少させることで、この多方向入力装置の操作時の滑らかさを向上させて、手触りが滑らかで、さらに明らかなカクつき、跳ね又はきしみの感触がないようにする。水平スライド部材３０の円盤部３５には第一スライド部材５０と第二スライド部材６０のスライドを駆動するための方形フレーム３１が設置されている。同時に、水平スライド部材３０の円盤部３５と操作部材２０の下端とは互いに挿設されるように接続されている。また、操作部材２０と円盤部３５とは一体構造でもよい。
【００１９】
図６、図７及び図８を組み合わせて参照し、本考案の一実施例において、緩衝部材８０が円盤部３５と円環部３７の間に設置されている場合、円盤部３５の外周面には谷部が円盤部３５の中心側に位置するように形成されている円盤部凹溝３５１が設けられて、緩衝部材８０の縦断面において、緩衝部材８０は円盤部３５に向けて縮小することで、円盤部凹溝３５１と適合して嵌合されている。
【００２０】
緩衝部材８０の円盤部３５に近い側の部分を円盤部凹溝３５１内に嵌設することで、この円盤部凹溝３５１によって緩衝部材８０の位置を制限して、緩衝部材８０と円盤部３５が操作部材２０による水平スライド部材３０に対する駆動中に離脱する可能性を抑えることが可能で、緩衝部材８０の水平スライド部材３０に対する定常で安定した緩衝減震に有利であることは、理解できるであろう。一方、緩衝部材８０の縦断面において、緩衝部材８０は円盤部３５に向けて縮小することで、両者の接触面積を増やすことで位置制限効果を向上させることができる。この円盤部凹溝３５１は円盤部３５の外周面に沿って設置されている。
【００２１】
図７と図８を組み合わせて参照し、本考案の一実施例において、緩衝部材８０の外周面には谷部が緩衝部材８０の中心側に位置するように形成されている緩衝部材凹溝８３が設けられ、円環部３７の緩衝部材凹溝８３に対応する位置には位置決めリブ３７１が設けられ、位置決めリブ３７１は緩衝部材凹溝８３内に嵌設されている。
【００２２】
位置決めリブ３７１と緩衝部材凹溝８３との当接位置決め作用により、緩衝部材８０と円環部３７が操作部材２０による水平スライド部材３０に対する駆動中に離脱する可能性をさらに抑えることが可能で、緩衝部材８０の水平スライド部材３０に対する定常で安定した緩衝減震にさらに有利であることは、理解できるであろう。緩衝部材８０の周縁上のあらゆる方向に位置制限当接効果があるように、緩衝部材凹溝８３が緩衝部材８０の外周面に沿って設置され、位置決めリブ３７１が対応するように環状に設置されてもよい。同時に、こうして設置することで、この緩衝部材凹溝８３と位置決めリブ３７１の構造を比較的簡単にすることで、成型加工の利便性を向上させることが可能である。勿論、本願はこれに限定されず、他の実施例において、緩衝部材凹溝８３は弧状としてもよく、この場合、緩衝部材８０の外周面に複数の緩衝部材凹溝８３が設置されてもよく、複数の緩衝部材凹溝８３は緩衝部材８０の周縁方向に沿って間隔を開けて設置され、円環部３７上については、その周縁方向に対応するように複数の弧状の位置決めリブ３７１が設置されて、一つの位置決めリブ３７１が一つの緩衝部材凹溝８３内に設置されればよい。
【００２３】
図９と図１０を組み合わせて参照し、本考案の一実施例によれば、緩衝部材８０が円盤部３５と円環部３７との間に設置されている場合、円盤部３５の外周面と緩衝部材８０の内周面の縦断面形状は相補的な形状であり、円盤部３５の外周面と緩衝部材８０の内周面とが相補的な形状により嵌め合って、緩衝部材８０の移動を制限している。
【００２４】
直接円盤部３５の外周面と緩衝部材８０の内周面の縦断面形状を相補的な形状にすることで、円盤部３５と緩衝部材８０の構造をより簡単にでき、これにより両者の製造の利便性を向上させることが可能であることは、理解できるであろう。相補的な形状とは、円盤部３５の外周面と緩衝部材８０の内周面の一方が外へ凸出し、他方が中へ凹むことで、両者が適合し合って当接されて位置を制限されるようにして、緩衝部材８０の上向き及び／又は下向きの移動の制限を実現する。
【００２５】
図９を参照し、本考案の一実施例において、緩衝部材８０が円盤部３５と円環部３７との間に設置されている場合、円盤部３５の外周面と緩衝部材８０の内周面の縦断面形状は相補的な段差形状であり、相補的な段差形状により緩衝部材８０の鉛直で下向きの移動を制限している。
【００２６】
円盤部３５の外周面と緩衝部材８０の内周面の縦断面形状が相補的な段差形状であるので、緩衝部材８０を円盤部３５に取り付ける場合、上下方向において直接突き合わせて取り付けることが可能であり、両者の取り付けの利便性の向上に有利であることは、理解できるであろう。もちろん、本願はこれに限られず、他の実施例において、図１０を参照し、円盤部３５の外周面には縦断面が矩形である凹溝３５７が形成されており、緩衝部材８０の内周面の縦断面形状は円盤部３５の外周面の凹溝３５７とは相補的である。こうして円盤部３５の外周面と緩衝部材８０の内周面とが嵌め合って、緩衝部材８０の鉛直で下向きと上向き両方の移動を制限してもよい。
【００２７】
図１１、図１２及び図１３を組み合わせて参照し、本考案の一実施例において、緩衝部材８０が円環部３７の外周面に設置されている場合、円環部３７の外周面には谷部が円環部８０の中心側に位置するように形成されている円環部凹溝３７３が設けられ、緩衝部材８０の内側周面にはリブ８５が設けられ、緩衝部材８０の縦断面において、リブ８５は円環部に向けて縮小することで、円環部凹溝３７３と適合して嵌合されている。
【００２８】
円環部凹溝３７３とリブ８５との位置制限作用を通して、円環部３７と緩衝部材８０に対して上下方向において位置制限作用を持たせて、両者が操作部材２０による水平スライド部材３０に対する駆動中に離脱する可能性を抑えることで、緩衝部材８０の水平スライド部材３０に対する定常で安定した緩衝減震に有利であることは、理解できるであろう。緩衝部材８０の周縁上の何れの部位にも位置制限当接効果があるように、円環部凹溝３７３は円環部３７の外周面に沿って設置され、リブ８５が対応するように環状に設置されてもよい。同時に、こうして設置することで、この円環部凹溝３７３とリブ８５の構造を比較的簡単にすることで、成型加工の利便性を向上させることも可能である。勿論、本願はこれに限定されず、他の実施例において、円環部凹溝３７３は弧状としてもよく、この場合、円環部３７の外周面に複数の円環部凹溝３７３が設置されてもよく、複数の円環部凹溝３７３は円環部３７の周縁方向に沿って間隔を開けて設置され、緩衝部材８０上については、その周縁方向に対応するように複数の弧状のリブ８５が設置されて、一つのリブ８５が一つの円環部凹溝３７３内に設置されればよい。また、弾性部材４０の両端は緩衝部材８０の外側を包むようにされてもよい。円環部３７と円環部３７との間の上下方向における位置制限については、円環部３７の内側周面に段差３７５が設けられ、段差３７５が前記円環部３７の周方向に沿って取り囲むように設置されて、円盤部３５の外周面に凸起３５３が設けられ、凸起３５３は円盤部３５の周方向に沿って取り囲むように設置されて、且つこの段差３７５内に当接されているようにしてもよい。
【００２９】
図１４と図１５を組み合わせて参照し、本考案の一実施例において、水平スライド部材３０が別体として構成された円盤部３５と円環部３７として構成されてない（すなわち水平スライド部材３０は一つの全体構造である）場合、水平スライド部材３０の外周面には谷部が水平スライド部材３０の中心側に位置するように形成されている水平スライド部材凹溝３３が設けられ、水平スライド部材凹溝３３の縦断面はＶ字状であり、緩衝部材８０の水平スライド部材凹溝３３に対応する位置には位置制限リブ８１が設けられ、位置制限リブ８１の形状は水平スライド部材凹溝３３の形状と適合しており、且つ水平スライド部材凹溝３３内に嵌設されている。
【００３０】
水平スライド部材凹溝３３と位置制限リブ８１との位置制限作用を通して、円環部３０と緩衝部材８０に対して上下方向において位置制限作用を持たせて、両者が操作部材２０による水平スライド部材３０に対する駆動中に離脱する可能性を抑えることで、緩衝部材８０の水平スライド部材３０に対する定常で安定した緩衝減震に有利であることは、理解できるであろう。水平スライド部材凹溝３３の縦断面はＶ字状であることにより、水平スライド部材凹溝３３と位置制限リブ８１との接触面積を増やして、両者の当接による位置制限効果を向上させることができる。緩衝部材８０の周縁上の何れの部位にも位置制限当接効果があるように、水平スライド部材凹溝３３は水平スライド部材３０の外周面に沿って設置され、位置制限リブ８１が対応するように環状に設置されてもよい。同時に、こうして設置することで、この水平スライド部材凹溝３３と位置制限リブ８１の構造を比較的簡単にすることで、成型加工の利便性を向上させることも可能である。勿論、本願はこれに限定されず、他の実施例において、水平スライド部材凹溝３３は弧状としてもよく、この場合、水平スライド部材３０の外周面に複数の水平スライド部材凹溝３３が設置されてもよく、複数の水平スライド部材凹溝３３は水平スライド部材３０の周縁方向に沿って間隔を開けて設置され、緩衝部材８０上については、その周縁方向に対応するように複数の弧状の位置制限リブ８１が設置されて、一つの位置制限リブ８１が一つの水平スライド部材凹溝３３内に設置されればよい。また、弾性部材４０の両端は緩衝部材８０の外側を包むようにされてもよい。
【００３１】
本考案は更に、多方向入力装置を含むゲームコントローラーを提案する。当該多方向入力装置の具体的な構造については、上記実施例を参照されたい。本ゲームコントローラーは上記全ての実施例の全ての技術案を採用したので、少なくとも上記実施例の技術案がもたらす全ての技術的効果を有し、ここでは改めて逐一説明しない。
【００３２】
本考案はさらに、ゲーム機を提案する。ゲーム機はゲームコントローラーを含み、当該ゲームコントローラーの具体的な構造については、上記実施例を参照されたい。本ゲーム機は上記全ての実施例の全ての技術案を採用したので、少なくとも上記実施例の技術案がもたらす全ての効果を有し、ここでは改めて逐一説明しない。
【００３３】
以上に述べたことは本考案の好ましい実施例に過ぎず、それによって本考案の実用新案の範囲を制限するわけではない。本考案の考案構想の下で、本考案の明細書及び添付図面の内容を利用して行った等価構造変換、或いは他の関連する技術分野への直接／間接的な応用は、何れも本考案の実用新案の保護範囲に含まれる。
【符号の説明】
【００３４】
１０  ケース、
１１  収容空間、
１２  開口部、
１３  上ケース、
１４  下ケース、
１５  支持フレーム、
１５１  第一突起ブロック、
１５３  第二突起ブロック、
２０  操作部材、
２１  操作盤、
３０  水平スライド部材、
３１  方形フレーム、
３３  水平スライド部材凹溝、
３５  円盤部、
３５１  円盤部凹溝、
３５３  凸起、
３５７  凹溝、
３７  円環部、
３７１  位置決めリブ、
３７３  円環部凹溝、
３７５  段差、
４０  弾性部材、
５０  第一スライド部材、
５１  第一可動接点、
５３  第一スライド溝、
５５  第一開口、
６０  第二スライド部材、
６１  第二可動接点、
６３  第二スライド溝、
６５  第二開口、
７０  回路基板、
７１  第一固定接点、
７３  第二固定接点、
８０  緩衝部材、
８１  位置制限リブ、
８３  緩衝部材凹溝、
８５  リブ。
【図１】
0003234725.tif 000003
【図２】
0003234725.tif 000004
【図３】
0003234725.tif 000005
【図４】
0003234725.tif 000006
【図５】
0003234725.tif 000007
【図６】
0003234725.tif 000008
【図７】
0003234725.tif 000009
【図８】
0003234725.tif 000010
【図９】
0003234725.tif 000011
【図１０】
0003234725.tif 000012
【図１１】
0003234725.tif 000013
【図１２】
0003234725.tif 000014
【図１３】
0003234725.tif 000015
【図１４】
0003234725.tif 000016
【図１５】
0003234725.tif 000017